【手続補正書】
【提出日】平成26年2月27日(2014.2.27)
【手続補正１】
【補正対象書類名】特許請求の範囲
【補正対象項目名】全文
【補正方法】変更
【補正の内容】
【特許請求の範囲】
【請求項１】
衛星信号を受信する受信手段と、
電力を供給する電池と、
前記受信手段を作動させて衛星信号を受信し、衛星信号に含まれる閏秒情報を取得する閏秒情報取得手段と、
前記電池の残量である電池残量を計測する電池残量計測手段と、を備え、
前記閏秒情報取得手段は、
前記電池残量計測手段で計測された前記電池残量が所定値以上の場合は、所定値未満の場合に比べて、前記衛星信号を受信する頻度を高くする
ことを特徴とする電子時計。
【請求項２】
請求項１に記載の電子時計において、
前記電子時計に照射する光量を検出する光量検出手段を備え、
前記閏秒情報取得手段は、
前記電池残量に応じた頻度で閏秒情報を取得する処理を行う際に、
前記光量検出手段で検出された光量があらかじめ設定された光量閾値以上の場合に前記閏秒情報を取得する処理を行う
ことを特徴とする電子時計。
【請求項３】
請求項２に記載の電子時計において、
前記閏秒情報取得手段は、
前記光量閾値を、前記電池残量が低くなるほど高く設定し、前記電池残量が高くなるほど低く設定する
ことを特徴とする電子時計。
【請求項４】
請求項１から請求項３のいずれかに記載の電子時計において、
発電装置を備え、
前記電池は、前記発電装置で発電した電力を蓄積する二次電池であり、
前記電池残量計測手段は、前記二次電池の残量を計測する
ことを特徴とする電子時計。
【請求項５】
請求項１から請求項４のいずれかに記載の電子時計において、
前記閏秒情報取得手段は、計時手段で計時している日付があらかじめ設定した受信期間に入ると、前記閏秒情報を取得する処理を実行し、
前記受信期間において、閏秒情報を取得した後は、前記受信期間が終わるまで閏秒情報を取得するための受信処理は行わない
ことを特徴とする電子時計。
【請求項６】
請求項１から請求項５のいずれかに記載の電子時計において、
前記閏秒情報取得手段は、計時手段で計時している日付があらかじめ設定した受信期間に入ると、前記閏秒情報を取得する処理を実行し、
前記受信期間の残余期間が所定期間以下になった場合は、前記光量閾値を前記所定期間以下になる前に比べて低くする
ことを特徴とする電子時計。
【請求項７】
請求項１から請求項６のいずれかに記載の電子時計において、
前記閏秒情報取得手段は、計時手段で計時している日付があらかじめ設定した受信期間に入ると、前記閏秒情報を取得する処理を実行し、
前記受信期間の残余期間が所定期間以下になった場合は、前記衛星信号を受信する頻度を前記所定期間以下になる前に比べて高くする
ことを特徴とする電子時計。
【請求項８】
請求項１から請求項７のいずれかに記載の電子時計において、
前記閏秒情報取得手段は、受信を開始した後、所定のタイムアウト時間内に衛星信号を受信できなかった場合は、受信を停止するとともに、
前記タイムアウト時間を、前記電池残量が低くなるほど短く設定し、前記電池残量が高くなるほど長く設定する
ことを特徴とする電子時計。
【請求項９】
請求項８に記載の電子時計において、
前記閏秒情報取得手段は、計時手段で計時している日付があらかじめ設定した受信期間に入ると、前記閏秒情報を取得する処理を実行し、
前記受信期間の残余期間が所定期間以下になった場合は、前記タイムアウト時間を前記所定期間以下になる前に比べて長くする
ことを特徴とする電子時計。
【請求項１０】
位置情報衛星から送信される衛星信号を受信する受信手段と、
電力を供給する電池と、
前記受信手段を作動させて衛星信号を受信し、前記衛星信号に含まれる閏秒情報を取得する閏秒情報取得手段と、
前記電池の残量を計測する電池残量計測手段と、を備えた電子時計の制御方法であって、
前記電池残量計測手段で前記電池の残量を計測し、
前記計測された電池残量が所定値以上の場合は、前記所定値未満の場合に比べて、前記閏秒情報取得手段で前記衛星信号を受信する頻度を高くする
ことを特徴とする電子時計の制御方法。
【手続補正２】
【補正対象書類名】明細書
【補正対象項目名】０００８
【補正方法】変更
【補正の内容】
【０００８】
本発明は、衛星信号を受信する受信手段と、電力を供給する電池と、前記受信手段を作動させて衛星信号を受信し、衛星信号に含まれる閏秒情報を取得する閏秒情報取得手段と、前記電池の残量である電池残量を計測する電池残量計測手段と、を備え、前記閏秒情報取得手段は、前記電池残量計測手段で計測された前記電池残量が所定値以上の場合は、所定値未満の場合に比べて、前記衛星信号を受信する頻度を高くすることを特徴とする。
【手続補正３】
【補正対象書類名】明細書
【補正対象項目名】００１１
【補正方法】変更
【補正の内容】
【００１１】
本発明の電子時計において、前記電子時計に照射する光量を検出する光量検出手段を備え、前記閏秒情報取得手段は、前記電池残量に応じた頻度で閏秒情報を取得する処理を行う際に、前記光量検出手段で検出された光量があらかじめ設定された光量閾値以上の場合に前記閏秒情報を取得する処理を行うことが好ましい。
【手続補正４】
【補正対象書類名】明細書
【補正対象項目名】００１３
【補正方法】変更
【補正の内容】
【００１３】
本発明の電子時計において、前記閏秒情報取得手段は、前記光量閾値を、前記電池残量が低くなるほど高く設定し、前記電池残量が高くなるほど低く設定することが好ましい。
【手続補正５】
【補正対象書類名】明細書
【補正対象項目名】００１５
【補正方法】変更
【補正の内容】
【００１５】
本発明の電子時計において、発電装置を備え、前記電池は、前記発電装置で発電した電力を蓄積する二次電池であり、前記電池残量計測手段は、前記二次電池の残量を計測することが好ましい。
【手続補正６】
【補正対象書類名】明細書
【補正対象項目名】００１７
【補正方法】変更
【補正の内容】
【００１７】
本発明の電子時計において、前記閏秒情報取得手段は、計時手段で計時している日付があらかじめ設定した受信期間に入ると、前記閏秒情報を取得する処理を実行し、前記受信期間において、閏秒情報を取得した後は、前記受信期間が終わるまで閏秒情報を取得するための受信処理は行わないことが好ましい。
【手続補正７】
【補正対象書類名】明細書
【補正対象項目名】００１９
【補正方法】変更
【補正の内容】
【００１９】
本発明の電子時計において、前記閏秒情報取得手段は、計時手段で計時している日付があらかじめ設定した受信期間に入ると、前記閏秒情報を取得する処理を実行し、前記受信期間の残余期間が所定期間以下になった場合は、前記光量閾値を前記所定期間以下になる前に比べて低くすることが好ましい。
【手続補正８】
【補正対象書類名】明細書
【補正対象項目名】００２１
【補正方法】変更
【補正の内容】
【００２１】
本発明の電子時計において、前記閏秒情報取得手段は、計時手段で計時している日付があらかじめ設定した受信期間に入ると、前記閏秒情報を取得する処理を実行し、前記受信期間の残余期間が所定期間以下になった場合は、前記衛星信号を受信する頻度を前記所定期間以下になる前に比べて高くすることが好ましい。
【手続補正９】
【補正対象書類名】明細書
【補正対象項目名】００２３
【補正方法】変更
【補正の内容】
【００２３】
本発明の電子時計において、前記閏秒情報取得手段は、受信を開始した後、所定のタイムアウト時間内に衛星信号を受信できなかった場合は、受信を停止するとともに、前記タイムアウト時間を、前記電池残量が低くなるほど短く設定し、前記電池残量が高くなるほど長く設定することが好ましい。
【手続補正１０】
【補正対象書類名】明細書
【補正対象項目名】００２５
【補正方法】変更
【補正の内容】
【００２５】
本発明の電子時計において、前記閏秒情報取得手段は、計時手段で計時している日付があらかじめ設定した受信期間に入ると、前記閏秒情報を取得する処理を実行し、前記受信期間の残余期間が所定期間以下になった場合は、前記タイムアウト時間を前記所定期間以下になる前に比べて長くすることが好ましい。
【手続補正１１】
【補正対象書類名】明細書
【補正対象項目名】００２７
【補正方法】変更
【補正の内容】
【００２７】
本発明は、位置情報衛星から送信される衛星信号を受信する受信手段と、電力を供給する電池と、前記受信手段を作動させて衛星信号を受信し、前記衛星信号に含まれる閏秒情報を取得する閏秒情報取得手段と、前記電池の残量を計測する電池残量計測手段と、を備えた電子時計の制御方法であって、前記電池残量計測手段で前記電池の残量を計測し、前記計測された電池残量が所定値以上の場合は、前記所定値未満の場合に比べて、前記閏秒情報取得手段で前記衛星信号を受信する頻度を高くすることを特徴とする。